(57)【要約】      （修正有）【課題】幼児の安全対応策にも適合し個人の好みに応じてアクセサリー等を自由に容易に取り付け交換出来る装飾品価値のあるカーテン保持器を提供する。【解決手段】不燃性樹脂材で成型或いは金属板を加工して構成され、外観の正面部は多角形、円筒形またはハート形のいずれかであり、左右両側にカーテンを束ねて入る大きさの任意の着色にされた側面部を設け、片側の側面をＬ形にして壁又は窓枠に螺子で固定し、反対側の側面はカーテンのはみ出しを防ぐ為に内側に曲げられている保持器であって、（１）保持器正面部には写真、絵葉書を固定する枠４を設け、（２）保持器正面の裏側には造花を挿入固定する複数の円筒状の筒５を設け、（３）マスコット、シール、フリルを取り付ける小孔、切り欠き溝６や、スペースの少なくても１つ設けた、以上の（１）〜（３）の構造からなる。【選択図】図１
0003194986.tif 000002
【実用新案登録請求の範囲】
【請求項１】
本保持器は不燃樹脂材で一体成型或いは金属板の双方を組み合わせて構成され外観は多角形、円形状、又はハート形等で左右両側を曲げて成形しカーテンを束ねて入る大きさで任意に着色をする。保持器の片側側面の端はＬ形に曲げて壁叉は窓枠に螺子で固定される。この側面には縦に溝を設け溝を支点に保持器本体が外側に開く構造でカーテンの開閉時の操作が簡単に出来てタッセルや固定用フックは使用しない。叉片方の側面の端の一部にはカーテンのはみ出しを防ぐ防止板を設ける。保持器表面には写真、絵葉書等固定する枠を設け裏側には造花等を挿入する複数個の円筒形の縦穴を設け挿入固定する季節や好みで簡単に交換出来る構造とする。尚カーテンの位置を室内正面に向くように側面の溝部を跨ぎバネ材を施し弾力で保持器を正面に戻す事が出来る構造で、更に保持器とカーテンを密着安定させる為に保持器片側の上部の切り欠き溝にカーテンに付けたマスコットを掛けて保持器とカーテンを密着固定する構造とし，個人の好みに自由にアレンジ出来て常に美的装飾品にとして幼児の安全対策を兼ね備えた構造のカーテン保持器。
【考案の詳細な説明】
【技術の分類】
【０００１】  本考案はカーテンを束ねて入れる保持器で実用新案登録第３１８７５１７号（平成２５年１１月１３日登録）の改良版で任意に着色された樹脂成型又は金属部品で構成され保持器は両側を曲げて側面を設け片方の側面の端には更に外側Ｌ形に曲げ小孔を設け螺子で壁又は窓枠に直接固定する。尚この側面部には保持器が外側に折り曲がり開くように縦溝を付け耐久性に富む難燃剤を添加したポリプロピレン材等を使用して、カーテンの開閉時の操作を容易にする構造で尚保持器本体には造花や絵葉書、アクセサリー等を取り付けられる装飾的構造を備えており従来のタッセルや窓枠フック金具を廃止して幼児の安全対応策にも適合し個人好みに応じてアクセサリー等を自由に容易に取り付け交換出来る装飾品価値のあるカーテン保持器に関するものである。
【背景技術】
【０００２】  通常はカーテンを開ける時は紐状や布製のタッセルの片方でカーテン取り巻いてフックに掛け固定する。カーテンを閉める時はタッセルの片方を外しカーテンを閉めるがタ、ッセルはカーテンの裏側に隠れて見えずカーテンを保持するだけの物で装飾価値は全く無く叉タッセルは稀に幼児に生命に危険を伴い改善が求められている。本案はタッセルを使用しないので危険性も解決出来る。最近は動物等を磁石で保持する物もあるが何れも装飾的価値にも乏しく開閉時の操作も面倒である。
【考案の概要】
【考案が解決しようとする課題】
【０００３】    従来はタッセルでカーテンをフックに掛けて保持するが操作が面倒であり装飾的価値が失われ幼児の生命に係わる危険性を伴う事で改善を求められている。、
解決方法としては先ず余分なタッセルやフック金具廃止して幼児の事故防止の役目を果たし解決策となる。保持器の片側の側面を窓枠や壁に直接螺子で固定して保持器の側面に縦溝を設けて支点として保持器を開閉する構造にしてカーテンの開閉時の操作が簡単容易にして、カーテンの開閉に関係なく常に室内の装飾品として存在価値を示し個人の好みや季節毎に自由に造花や写真や小物アクセサリー等を取り付け交換が出来る構造を備えており装飾価値に優れる。更に保持器正面の片側の上部に切り込み溝がありカーテンを収納時に上部の切り込みに対応したカーテン表面ににマスコット等を糸で取り付けて切り込み溝に掛けて保持器本体とカーテンを密着保持する。開閉時にはマスコットを手で掴み開閉を更に容易にしてアクセサリー兼、保持器を正位置に安定させる構造である。尚保持器裏側の縦溝を跨ぎ弾性のバネを取り付けて保持器本体を弾力で確実に室内正面に戻す構造にする
【課題を解決する為の手段】
【０００４】  本保持器は樹脂成型品又は金属部品を加工し組み合わせて構成して任意に着色をして外観は多角形や円形、ハート形等で両側を曲げて側面を設け片側の側面の端を直角にＬ形に曲げて壁や窓枠に螺子で固定する。側面部には縦に溝を設けて外側に開く構造にして他方側面の端部の一部は内側に曲げてカーテンのはみ出しを防ぐ構造とする。保持器本体には造花、写真、シール、マスコット等好みで自由に取り付け交換が出来る特徴を有する構造。
【０００５】  保持器の表面の中央部は絵葉書や写真が入る枠を設けて写真を保持し簡単に交換出来る構造。一体成型叉は別部品として同形状に加工後保持器表面に溶着等で固定する。
【０００６】  造花を取り付ける為に保持器裏側の中央部の上部には複数個の円筒状の縦孔を一体成型し造花を保持固定する。叉は同一形状部品を保持器裏側に溶着等で固定する。叉は保持器正面中央部の複数個所に２個の小孔を上下、左右に設けて園芸用ビニール帯等を保持器正面の孔より挿入して造花茎部の上下の箇所で捻り固定する構造。
【０００７】  保持器側面の片側にはカーテンの量が多量の時を考慮して、側面の端の一部を内側に数センチ曲げ板状としてカーテンのはみ出しを防止する構造。
【０００８】  例外使用時として、二重窓を施した時、窓枠の厚さや形状が異なる時を考慮して別部品として樹脂成型叉は金属板の両端を曲げた窓枠用補助板を設けて保持器本体と壁叉は窓枠の中間に取り付けて螺子で固定しカーテン量が多い時の対応策としも使用出来る構造。
【考案の効果】
【０００９】  保持器本体は幼児の安全性を配慮し、タッセルを廃止して幼児の危険防止の効果があり装飾品として個人の好みや季節に対応してアクセサリー等の造花や動植物等の写真シ、ールやフリルやビーズやマスコット装飾ＬＥＤ等を取り付け交換出来る構造で開閉の操作も保持器本体を開閉し容易に特に若い女性層の好みや感性に対応して癒しの空間にももなり子供部屋では情操や想像力を豊かにし遊び心の効価のある装飾品を兼ね備えた特徴がある構造である。
【図面の簡単な説明】
【図１】  本考案のカーテン保持器本体の正面からの全体外観構造図
【図２】  本考案のカーテン保持器本体を壁に取り付けた外観構造図
【図３】  本考案の保持器本体を壁に取り付け時のカーテン開閉時の外観構造図
【図４】  カーテン収納時の詳細構造図
【図５】  特例使用時の窓枠補助板の構造図
【考案を実施する為の形態】
【００１０】  カーテン保持器本体の材質は樹脂成形材ポリプロピレンに難燃剤を添加し又は金属部品を加工成形し任意の着色をして外観は多角形、円弧状、ハート型等で保持器本体の左右両側を折り曲げてカーテンを束ねて収納出来る大きさとする。保持器片側面の端はＬ形に曲げて壁に螺子で固定する。側面部には縦溝を施し保持器が溝を支点に外側に折曲がり開く構造で溝を跨ぎバネを設けバネの弾力で保持器を正面に戻し収納が容易になり片側側面の端は一部を内側に板状に折り曲げてカーテンのはみ出し防止する構造。
【００１１】  保持器両面にはには写真用枠、造花用縦穴、マスコット用溝、シールその他小物アクセサリー等を取り付けるスペースが有り自由に好みに対応出来る特徴の構造。、
【００１２】  造花等を取り付ける為に保持器正面の裏側の中央部の上部には複数個の筒状の縦孔を一体成型叉は同等形状の部品を保持器裏面に溶着等で固定する。或いは保持器正面の中央部には複数個所に複数の小孔も設けて園芸用ビニール帯を小孔を通し造花の茎部の上下部をビニール帯を捻り保持器に固定する構造にもする。
【実施例】
【００１３】以下添付図面に従って実施例を説明する。【００１４】［図１］は保持器本体の構造図で１は保持器本体２はＬ形部で壁叉は窓枠に取り付ける２ａはＬ形部の穴で、２ｂは溝部で支点として本体を開くようにして、３はカーテンはみ出し防止板、４は枠部で写真、絵葉書を取り付ける、５は縦穴部で造花等挿入固定する、６は切り欠き溝部で保持器上下の片側に設け、７はマスコット等をカーテンに糸で６の溝に対応した箇所に取り付け６の溝部に掛けて保持器を固定する。カーテンを開閉時には７マスコットを掴んで出し入れを容易にする。８は２ａの溝部を跨ぎバネを固定する部で９はバネで、８の固定部に挿入して弾力で保持器を正面に戻す構造。１０は補助板で樹脂成型叉は金属板の両側を直角に曲げて二重構造の窓やカーテンの量が特に多い時に、２のＬ形部と壁の中間に螺子で取り付けて  固定する構造。【００１５】［図２］は保持器本体を壁に取り付けた構造図。【００１６】［図３］保持器本体がカーテンの開閉状態時の外観図【００１７】［図４］マスコットを切り欠き溝に入れ保持器を保持した時の外観構造図【００１８】［図５］保持器と壁の間に取り付ける時の窓枠補助板の外観構造図
【符号の説明】
【００１９】１    保持器本体
２    Ｌ形で壁に取り付ける部
２ａ  Ｌ形に付帯する穴
２ｂ  保持器本体を外側に開閉する為の溝
３    カーテンのはみ出し防止板
４    写真、絵葉書取り付け枠
５    造花等取り付け縦穴
６    マスコット等挿入溝
７    保持器位置安定用マスコット
８    弾性バネ固定部
９    弾性バネ
１０  補助板
【図１】
0003194986.tif 000003
【図２】
0003194986.tif 000004
【図３】
0003194986.tif 000005
【図４】
0003194986.tif 000006
【図５】
0003194986.tif 000007
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
本保持器は不燃性樹脂材で成型或いは金属板を加工して構成され外観の正面部は多角形や円筒形やハート形で左右両側に側面部を設けてカーテンを束ねて入る大きさにして任意の着色をする尚保持器の片側の側面をＬ形にして壁又は窓枠に螺子で固定して反対側の側面にはカーテンのはみ出しを防ぐ為に内側に曲げた基本構造として更に保持器には下記のような構造を設ける事を特徴とする。
（１）保持器正面部には写真、絵葉書を固定する枠を設ける
（２）保持器正面の裏側には造花を挿入固定する複数の円筒状の筒を設ける
（３）保持器には個人の好みでマスコット、シール、フリルを取り付ける小孔や切り欠き溝やスペースを設ける
従って従来使用のタッセルや固定金具は使用せずにタッセルを掛け外す面倒な操作が無くなり保持器内にカーテンを束ねて入れるだけの簡単な操作になり常に装飾的価値のある構造を備えた特徴の保持器である。
【手続補正書】
【提出日】平成26年10月2日(2014.10.2)
【手続補正１】
【補正対象書類名】実用新案登録請求の範囲
【補正対象項目名】全文
【補正方法】変更
【補正の内容】
【実用新案登録請求の範囲】
【請求項１】
不燃性樹脂材で成型或いは金属板を加工して構成され、外観の正面部は多角形、円筒形またはハート形のいずれかであり、左右両側にカーテンを束ねて入る大きさの任意の着色にされた側面部を設け、片側の側面をＬ形にして壁又は窓枠に螺子で固定し、反対側の側面はカーテンのはみ出しを防ぐ為に内側に曲げられている保持器であって、
（１）保持器正面部には写真、絵葉書を固定する枠を設け、
（２）保持器正面の裏側には造花を挿入固定する複数の円筒状の筒を設け、
（３）マスコット、シール、フリルを取り付ける小孔、切り欠き溝や、スペースの少なく      ても１つ設けた、
以上の（１）〜（３）の構造からなるカーテン保持器。